(57)【要約】【課題】  鍛造用素材等のワークを所定温度に加熱するために使用される誘導加熱装置において、連続的に送られるワークの端部同士の融着を防止すること。【解決手段】    軸方向に配置された誘導加熱コイルを備え、ビレット等のワークを入口側から出口側に向かって前記コイル内を移動させつつ誘導加熱を行う誘導加熱装置において、前記誘導加熱コイルを、列状に配置され、互いに絶縁された複数のコイルで構成するとともに、隣り合うコイルの巻き方向と通電方向とを互い逆向きとした。【選択図】    図３
2008066039.tif 000002
【特許請求の範囲】
【請求項１】
軸方向に配置された誘導加熱コイルを備え、ビレット等のワークを入口側から出口側に向かって前記コイル内を移動させつつ誘導加熱を行う誘導加熱装置において、前記誘導加熱コイルを、列状に配置された複数のコイルで構成するとともに、隣り合うコイルの巻き方向と通電方向とを互い逆向きとしたことを特徴とする誘導加熱装置。
【請求項２】
軸方向に配置された誘導加熱コイルを備え、ビレット等のワークを入口側から出口側に向かって前記コイル内を移動させつつ誘導加熱を行う誘導加熱装置において、前記誘導加熱コイルを、内側のコイルと外側のコイルを組み合わせた２層コイルとして構成し、内側のコイルと外側のコイルの巻き方向と通電方向とを互いに逆向きとしたことを特徴とする誘導加熱装置。
【請求項３】
所定のコイルには、通電用の端子が複数設けられており、これら複数の端子のいずれかを選択して電源を接続できるように構成されている請求項１に記載の誘導加熱装置。
【発明の詳細な説明】
【技術分野】
【０００１】
本発明は、鍛造用素材等を所定温度に加熱するために使用される誘導加熱装置に関し、特に誘導加熱用のコイルに関するものである。
【背景技術】
【０００２】
鍛造用の加工材であるビレットを加工に適した温度に加熱する装置として、誘導加熱装置が使用されている。この種の誘導加熱装置のうち、横形の装置には、加工材であるビレットを搬送するためのレールが誘導加熱用のコイルの中に挿通されており、入口側から送り込んだビレットをレールに沿って出口側へ所定速度で移動させつつ誘導加熱によって所定温度に加熱するようになっている。この加熱装置から送り出された高温のビレットは、引き続き後続の搬送装置で鍛造装置に供給され、鍛造加工に供せられる。
【０００３】
上記従来の誘導加熱装置では、ビレットの端部同士が互いに接触した状態で連続的に送られるが、加熱装置内で前後のビレットの端部同士が溶着することが多かった。この溶着は、ビレットまたはビレット端部の過熱による溶融付着と、誘導加熱による不可避の大きな軸電流が流れることが主な原因と考えられる。鍛造素材の予備加熱時に、ビレットの端部同士が溶着すると、後続の搬送システムと連動できなくなり、鍛造工程にさまざまな支障が生じていた。
【０００４】
なお、ビレット加熱装置については、種々のものが実用されていているが、この種の加熱装置において、ビレットの過熱の問題を解決するものとしては、例えば下記特許文献１乃至３に記載されたものが公知である。
【０００５】
【特許文献１】特開２００２−１４１１６５号公報
【特許文献１】特開２００５−６３７５３号公報
【特許文献１】特開２００５−１５８５５号公報
【発明の開示】
【発明が解決しようとする課題】
【０００６】
上記特許文献１に記載のものは、形状や寸法の異なる金属ビレットを良好な状態に加熱するため、ビレットの軸長よりも長尺なコイルと、該コイルに接続されるコンデンサとを備えたもので、コイルに設けられた複数のタップ位置のいずれかにコンデンサを選択的に接続するものである。また、特許文献２に記載のものは、誘導加熱コイルの端部から内部に導電材料で作られた減磁用リングを挿入し、コイル内のビレットの端部に当該リングを近づけて誘導加熱を行うものである。さらに、特許文献３に記載のものは、加熱コイルを内蔵した横向きの円筒状加熱体の内部にビレットを入れて加熱する方法であって、前記円筒状加熱体の内部にビレットを支持する複数の支持棒を設け、該支持棒の内部に冷却媒体を流通させてビレット表面を冷却するものである。
【０００７】
しかしながら、上記特許文献１に記載の方法では、コイルに複数のタップを設け、これらタップのいずれかを選択してコンデンサを接続することにより、ビレットを適当な温度に加熱するものであるから、これに適したコンデンサと複数のタップが必要であり、構造的に複雑で、しかも操作が複雑であるという問題がある。また、特許文献２に記載の方法は、コイルのほかに減磁リングが必要であり、このリングの位置を微調節する必要があるので、このものも温度調節のための操作が複雑である。さらに特許文献３に記載の方法は、コイル内のビレットを複数の支持棒で支持するもので、この支持棒に冷却媒体を流通させるものであるから、支持棒の構造が複雑であり、温度調節操作も煩雑である。また、上記いずれの文献においても、ビレットに発生する軸電流の影響については考慮されていない。
【０００８】
本発明者は、互いに接触した状態で列状に連なって移動しつつ誘導加熱されるビレットが溶着するのは、ビレット過熱要因と、ビレットの列に大きな軸方向の誘導電流が生じることが主な原因であることをつきとめ、このような大きな軸方向の電流の発生を防止することを考えた。このためには、加熱装置内のコイルを複数に分割し、それぞれの境界部に磁気を遮蔽する磁気シールド材を配置することが考えられるが、このようにすると、コイルとコイルとの間にかなりの隙間を設ける必要があるので、加熱効率が悪くなるのみならず、炉内に余計なスペースが必要となり、構造的にも複雑となるという問題点がある。
【０００９】
そこで、本発明は、分割したコイルとコイルとの間に特別の磁気シールド材を設けなくても、ビレットの列に大きな軸電流が生じないようにすることによって、ビレット同志の融着の問題を解決することを課題としている。
【課題を解決するための手段】
【００１０】
本発明は、上記課題を解決するため、次のような構成を採用した。すなわち、本発明中、請求項１に係る誘導加熱装置は、軸方向に配置された誘導加熱コイルを備え、ビレット等のワークを入口側から出口側に向かって前記コイル内を移動させつつ誘導加熱を行う誘導加熱装置において、前記誘導加熱コイルを、直列状に配置され、互いに絶縁された複数のコイルで構成するとともに、隣り合うコイルの巻き方向と通電方向とを互い逆向きとしたことを特徴としている。この誘導加熱装置において、所定のコイルに、通電用の端子を複数設けておき、処理量の増減に応じてこれら複数の端子のいずれかを選択して電源を接続できるように構成しておくのが好ましい。
【００１１】
また、請求項２に係る誘導過熱装置は、軸方向に配置された誘導加熱コイルを備え、ビレット等のワークを入口側から出口側に向かって前記コイル内を移動させつつ誘導加熱を行う誘導加熱装置において、前記誘導加熱コイルを、互いに絶縁された内側のコイルと外側のコイルの２層構造のコイルとして構成し、これら内側のコイルと外側のコイルの巻き方向と通電方向とを互いに逆向きとしたことを特徴としている。
【発明の効果】
【００１２】
本願発明に係る誘導加熱装置によれば、誘導加熱コイルが互いに絶縁された複数のコイルに分割され、それらが直列状もしくは層状に並べられた構造となっていて、しかも隣り合うコイルもしくは内外のコイル同士の巻き方向と通電方向が逆向きとなっているので、各コイルによって同方向の磁束が発生するが、隣り合うコイルによって加工材に生じる軸方向の誘導電流が互いに打ち消し合う方向となり、ビレット等の加工材（ワーク）に大きな軸電流が発生しない。このため、ビレット等を互いに密着させて連続的に移動させつつ加熱しても、当該加工材の端部同士が溶着しなくなる。すなわち、隣り合うコイル同士もしくは内外のコイル同士では、巻き方向と電流の流れ方向が逆であるから、軸電流の方向は逆向きになり、互いに打ち消し合うことになるが、磁束の方向は隣り合うコイル同士でも同じであるから、効果的な加熱が行われるのである。
【発明を実施するための最良の形態】
【００１３】
以下、本発明の実施形態について具体的に説明する。図１以下の各図は本発明の好ましい実施形態を表す図で、この誘導加熱装置１は、図１、図２及び図３に示すように、炉殻２の内部に誘導加熱コイル３が軸方向に沿って水平に設置されていて、その内部に加工材搬送用のスキッドレール５が挿通されている。図７における４は、コイル３を支持する絶縁体の棒状支持部材であり、コイル列に沿って４本が配置されている。炉殻２の出口側端部には、前記スキッドレール５が斜め下向きに傾斜して排出路６を形成しており、加熱されたワークを排出して重力で所定場所に落下供給するようになっている。また、コイル３の下側と側部には、通電のためのブスバー７とターミナル８が設けられている。図中の１０は、冷却水を流通させるためのパイプである。なお、ワークの酸化を防止するため、炉内は窒素ガス雰囲気となっている。
【００１４】
誘導加熱用のコイル３は、Ａ，Ｂ，Ｃの３つのブロックにわかれており、各ブロックがそれぞれ２つのコイルからなっている。すなわち、図５、図６、図８、図９、及び図１０乃至図１３に示すように、Ａのブロックに２つのコイルＡ−１，Ａ−２が設けられ、Ｂのブロックに２つのコイルＢ−１，Ｂ−２が設けられ、Ｃのブロックに２つのコイルＣ−１，Ｃ−２が設けられている。３つのブロックのうち、Ａが入口側、Ｂが中央、Ｃが出口側に配置されている。したがって、Ａ−１のコイルが最も入口に近く、Ｃ−２のコイルが最も出口に近い。
【００１５】
Ａ，Ｂ，Ｃ各ブロックにおける２つのコイルは、それぞれ巻き方向が逆向きとなっていて、それぞれ逆方向に通電されるようになっている。すなわち、ブロックＡのコイルＡ−１を右巻きとすると、コイルＡ−２は左巻きとし、同様にコイルＢ−１は右巻き、コイルＢ−２は左巻き、コイルＣ−１は右巻き、Ｃ−２は左巻きとする。したがって、いずれのコイルの巻き方向もそれに隣り合うコイルの巻き方向と逆向きになる。各ブロックの境界部では電気的に絶縁されている。
【００１６】
各コイルへの通電は、次のとおりである。図１０に示す接続例では、ブロックＡの第１のコイルＡ−１の入口側端部に電源Ｕが接続され、当該コイルＡ−１の反対側の出口側端部には電源Ｖが接続されている。また、ブロックＡの第２のコイルＡ−２は、その入口側端部に電源Ｖが接続され、出口側端部に電源Ｕが接続されている。
【００１７】
中央のブロックＢでも同様で、第１のコイルＢ−１の入口側端部に電源Ｕが接続され、出口側端部に電源Ｖが接続されている。また、第２のコイルＢ−２の入口側端部に電源Ｖが接続され、出口側端部に電源Ｕが接続されている。さらに、出口側のブロックＣの第１のコイルＣ−１の入口側端部に電源Ｕが接続され、出口側端部に電源Ｖが接続され、第２のコイルＣ−２の入口側端部に電源Ｖが接続され、出口側端部に電源Ｕが接続されている。これにより、すべてのコイルが並列に接続されているが、隣り合う各コイルの巻き方向と電流の流れる方向（図中の矢印で示す）は互いに逆向きとなる。
【００１８】
図１１は、上記と異なる接続例を表すもので、ブロックＡの第１のコイルＡ−１の入口側端部に電源Ｕが接続されているが、その出口側端部は第２のコイルＡ−２の出口側端部と接続され、当該コイルＡ−２の入口側端部は電源Ｖと接続されている。これにより、コイルＡ−１とコイルＡ−２の巻き方向と電流の流れる方向（矢印で示す）は逆向きとなる。ブロックＢにおける接続も同様であり、第１のコイルＢ−１の入口側端部に電源Ｕが接続され、出口側端部は第２のコイルＢ−２の出口側端部に接続されている。コイルＢ−２の入口側端部は電源Ｖに接続されている。
【００１９】
したがって、ブロックＢにおける第１のコイルＢ−１と第２のコイルＢ−２の巻き方向と電流の方向は互いに逆向きであり、しかもブロックＡの第２のコイルＡ−２とブロックＢの第１のコイルでも巻き方向と電流の方向が逆向きとなっている。ブロックＣにおける第１のコイルＣ−１と第２のコイルＣ−２の接続方法もブロックＡ，Ｂにおけると同じであり、コイルＣ−１とコイルＣ−２の巻き方向と電流の方向は互いに逆向きであり、かつ、ブロックＢのコイルＢ−２と、これに隣り合うコイルＣ−１の巻き方向と電流の方向も互いに逆向きとなっている。上記図１１では、各ブロック内の２個のコイルは直列に接続され、各ブロックは並列に接続されていることになる。
【００２０】
図１２は、さらに異なる接続例を表すもので、この例では、ブロックＡにおける接続は上記図１１における接続と同様であるが、ブロックＢとブロックＣにおける接続が上記と異なっている。すなわち、ブロックＢのコイルＢ−１の入口側端部が電源Ｕに接続され、出口側端部はコイルＢ−２の出口側端部と接続されているが、当該コイルＢ−２の入口側端部は、ブロックＣのコイルＣ−１の入口側端部に接続されている。そして、コイルＣ−１の出口側端部はコイルＣ−２の出口側端部に接続され、当該コイルＣ−２の入口側端部は電源Ｖと接続されている。
【００２１】
図１３は、さらに異なる接続例を表すもので、この例では、ブロックＡにおけるコイルＡ−１の入口側端部が電源Ｕと接続され、出口側端部はコイルＡ−２の出口側端部と接続されている。コイルＡ−２の入口側端部は、ブロックＢのコイルＢ−１の入口側端部と接続され、コイルＢ−１の出口側端部はコイルＢ−２の出口側端部と接続されている。さらに、コイルＢ−２の入口側端部は、ブロックＣのコイルＣ−１の入口側端部と接続され、コイルＣ−１の出口側端部はコイルＣ−２の出口側端部と接続されている。そして、コイルＣ−２の入口側端部は、電源Ｖに接続されている。この例では、計６個のコイルが直列に接続され、隣り合うコイルの巻き方向と電流の向きは互いに逆向きとなっている。
【００２２】
なお、図示例では、処理量の変化に対応できるように、第１のコイルＡ−１の軸方向中間部にも複数の通電用の端子Ｔ１，Ｔ２，が所定間隔で設けられており、これらのいずれかを選択して電源Ｕを接続することにより、昇温パターンを調節し、オーバーヒートを防止できるようになっている。Ｂブロックの１対のコイルとＣブロックの一対のコイルは、それぞれ同じ長さとなっているが、加熱条件により、これらのコイルの長さも異なる設計とすることができる。
【００２３】
また、各コイルの巻き数は、加熱素材の寸法や材質によって最適なものとすればよいが、電源の接続に便利なように、巻き数は［整数＋α（αは１未満）］（例えば４回半、５回半等）としておくのが好ましい。これに限らず、［整数＋０．２５］，［整数＋０．７５］等としてもよい。このようにしておくと、コイル同士を接近させても、前後のコイルの端部の位置が同じ位置に重ならないようにできるため、電源の接続構造を簡単なものとすることができる。
【００２４】
つぎに、図１４、図１５は、上記と異なる実施形態を表すもので、このコイル３０は、内側コイル３１と外側コイル３２の２層構造となっている。内外両コイル３１，３２は、巻き方向と通電方向が互いに逆向きとなっていて、両コイル３１，３２は互いに絶縁されている。図示例では、さらに２層コイルが左右２組で一つのブロックＤを構成しており、左右のコイル３０，３０で巻き方向と通電方向が逆になるように構成されている。すなわち、左右両側のコイル３０のうちそれぞれ外側のコイル３２，３２の中央側端部が電源Ｕに接続され、内側のコイル３１，３１の中央側端部が電源Ｖに接続されている。外側のコイル３２の反対側の端部は内側のコイル３１に接続されている。
【００２５】
このように、２層構造のコイル３０でも、内側のコイル３１と外側のコイル３２の巻き方向と通電方向が逆向きとなっているので、磁束の方向は同じとなるが、軸方向の誘導電流は互いに逆向きとなる。このため、内外のコイル３１，３２によって生ずる軸電流が互いに逆向きとなり、打ち消し合う方向となるので、ワークに大きな軸電流は流れない。
【００２６】
さらに、図示例では、一つの加熱ブロックＤ内に二つの２層コイル３０，３０が直列に配置されているが、それぞれのコイル３０における内外のコイルの巻き方向と通電方向が逆向きであるのみならず、左右のコイル３０，３０の巻き方向と通電方向が逆向きであるので、この点でも大きな軸電流の発生が防止されるのである。このようなブロックＤを単数で誘導加熱コイルを構成してもよく、上記実施形態におけるように、複数組（例えば上記実施形態におけるように３組）を直列に配置して構成してもよい。また、一つのブロック内に設ける２層コイルの数は、単数でもよく、２以上でもよい。
【００２７】
この誘導加熱装置１を用いて鍛造用素材（ワーク）であるビレット２０を加熱する場合は、公知のビレット供給装置（図１でＰで示す）により、ビレット２０を加熱装置１の入口側からスキッドレール５上に次々と供給する。これらビレットは、互いに接触した１列状になって、所定の速度でスキッドレール５上を出口側に向かって移動し、その間に所定温度に誘導加熱されたのち、出口側に設けられた傾斜レール６上を滑落して排出され、後続の鍛造工程に供給される。炉内は窒素雰囲気（非酸化性雰囲気であればよい）となっているため、ビレット２０が酸化することはない。
【００２８】
ビレット２０の各位置における加熱温度について例示すると、例えば、ブロックＡでは、コイルＡ−２の出口側端部でビレット２０が磁気変態点（約７５０℃）に加熱され、引き続きブロックＢの出口側端部で約１，０５０℃程度まで昇温し、ブロックＣの出口で所定の加熱温度（例えば１２５０℃）に達するように設計されている。すなわち、磁気変態点（キューリーポイント）までは比較的急激に昇温するが、磁気変態点を通過してビレットの透磁率μが１となると、後は所定の加熱温度までゆっくりと昇温し、その材質に適した加熱温度まで均一加熱されて次工程に送られる。
【００２９】
製造条件の変更等により、ビレットの大きさや、材質、処理量等が変わると、加熱温度や昇温速度も変化するので、その場合は、各コイルの通電量を調節するか、コイルＡ−１の接続端子を変えて電源を接続して、当該コイルの加熱範囲を変化させればよい。これにより、加熱条件を調節することができる。Ａ−１コイルの接続端子は、対象とするワークの寸法、材質、処理量等に対応させて所定の位置にあらかじめ複数個設けられているので、この変更は比較的簡単である。
【００３０】
この誘導加熱装置１は、誘導加熱用のコイルが、複数個に分割されており、互いに隣り合うコイル同士では、巻き方向が逆向きになっている。しかも通電される電流の向きが互いに逆向きとなっているので、それぞれのコイルによって、ワークの加熱に有効な円周方向の誘導電流は同じ方向となり、効果的に誘導加熱されるが、隣り合うワークに流れる誘導軸電流の方向が隣接するワークで逆向きとなり、互いに打ち消し合うので、ワークの列に大きな軸電流が生じない。すなわち、従来の誘導加熱によると、ワークである各ビレット２０に軸方向の大きな誘導電流が生じるが、この加熱装置１では、隣り合うコイルによって発生する軸電流の方向が逆向きになる結果、大きな一方向の軸電流がビレット２０に流れないのである。
【００３１】
上記のように軸方向の誘導電流がコイルごとに逆向きとなり、前後のビレット２０が接触した状態で連なって移動するビレット２０の列に大きな軸電流が流れなくなると、前後のビレット２０の端部同士の融着は生じなくなる。この誘導加熱装置１では、コイルとコイルの間に磁気シールド材を設けて置く必要がないので、その分だけスペースを節約することができ、コンパクトな構造とすることができる。また、コイルとコイルの間隔を狭めてもよいので、加熱効率も良好なものとすることができる。
【００３２】
以上に述べた実施形態では、加熱範囲を３ブロック（Ａ，Ｂ，Ｃ）に分け、各ブロックに２個づつコイルを設けているが、場合によっては、ブロック数を１、２又は４以上とすることも可能であり、さらに、各ブロックのコイル数も２以上とすることができる。また、上記実施形態では、鍛造用素材であるビレットの溶着現象を例にとって説明したが、誘導加熱における大きな軸電流に起因するトラブル、例えば搬送装置の電蝕等の対策に利用することができることはいうまでもない。
【産業上の利用可能性】
【００３３】
本発明に係る誘導加熱装置は、磁性体金属の加熱に適したもので、鍛造装置の加工素材であるビレット等の予備加熱用装置等として、効果的に利用することができる。
【図面の簡単な説明】
【００３４】
【図１】誘導加熱装置（炉）の全体を表す側面図である。
【図２】炉の要部を表す平面図である。
【図３】その断面側面図である。
【図４】そのＸ矢視図である。
【図５】Ａブロックのコイルの巻き方向と電源接続方法を表す平面図である。
【図６】その側面図である。
【図７】その正面図である。
【図８】Ｂ（Ｃ）ブロックの巻き方向と電源接続方法を表す平面図である。
【図９】その側面図である。
【図１０】コイルの接続方法の説明図である。
【図１１】コイルの接続方法の説明図である。
【図１２】コイルの接続方法の説明図である。
【図１３】コイルの接続方法の説明図である。
【図１４】上記と異なる実施形態を表すコイルの正面図である。
【図１５】その側面図である。
【符号の説明】
【００３５】
１      誘導加熱装置
２      炉殻
３      誘導加熱用コイル
４      支持部材
２０      ビレット
３０      コイル
３１      内側コイル
３２      外側コイル
【図１】
2008066039.tif 000003
【図２】
2008066039.tif 000004
【図３】
2008066039.tif 000005
【図４】
2008066039.tif 000006
【図５】
2008066039.tif 000007
【図６】
2008066039.tif 000008
【図７】
2008066039.tif 000009
【図８】
2008066039.tif 000010
【図９】
2008066039.tif 000011
【図１０】
2008066039.tif 000012
【図１１】
2008066039.tif 000013
【図１２】
2008066039.tif 000014
【図１３】
2008066039.tif 000015
【図１４】
2008066039.tif 000016
【図１５】
2008066039.tif 000017